(57)【特許請求の範囲】
【請求項１】
レンズと、このレンズを支持するレンズ支持部とを有するレンズ部と、
一面にセンサ部と論理回路部を有し、前記レンズを介して入射された光に基づき撮像信号を処理するイメージセンサチップとを備え、
前記レンズ部は、前記イメージセンサチップの論理回路部上に載置され固定されているカメラモジュール。
【請求項２】
窓部を有する配線基板を、さらに備え、
前記イメージセンサチップは、前記レンズ部が前記配線基板の窓部に差し込まれた状態において、当該配線基板と電気的に接続されていることを特徴とする請求項１記載のカメラモジュール。
【請求項３】
前記レンズは、非球面凸レンズであることを特徴とする請求項１記載のカメラモジュール。
【請求項４】
前記レンズは、プラスチックまたはガラスにより構成されることを特徴とする請求項１記載のカメラモジュール。
【請求項５】
前記レンズは、複数のレンズから構成されることを特徴とする請求項１記載のカメラモジュール。
【請求項６】
前記レンズ部の前記イメージセンサチップへの固定は、紫外線硬化樹脂によって接着されていることを特徴とする請求項１記載のカメラモジュール。
【請求項７】
前記レンズ部において、レンズとレンズ支持部は樹脂成形による一体構造を有することを特徴とする請求項１記載のカメラモジュール。
【請求項８】
前記イメージセンサチップは、前記論理回路部と電気的に接続された入出力端子を有することを特徴とする請求項１記載のカメラモジュール。
【請求項９】
レンズとこのレンズを支持するレンズ支持部とを有するレンズ部と、
センサ部と論理回路部を有し、前記レンズを介して入射された光に基づき撮像信号を処理するイメージセンサチップとを備え、
前記レンズ支持部は、前記イメージセンサチップの論理回路部上に載置され、レンズが入射された光をイメージセンサチップの表面上で結像するように所定の位置でレンズを支持しているカメラモジュール。
【請求項１０】
前記レンズ部において、レンズとレンズ支持部は樹脂成形による一体構造を有することを特徴とする請求項９記載のカメラモジュール。
【発明の詳細な説明】
【技術分野】
【０００１】
本発明は、カメラモジュールに関するものであり、より詳しくは、レンズ、レンズを支持するレンズ支持部及びイメージセンサチップを備えたカメラモジュールに関する。
【背景技術】
【０００２】
携帯電話、携帯端末（ＰＤＡ）やカードカメラの用途に、カメラモジュールが広く使用されている。ここで従来のカメラモジュールの構造例を図８に示す。図８に示されるように、カメラモジュールは、基板１０４上にイメージセンサチップ１０６が収容されたパッケージ１０８が載置され、半田１０３により固定されている。このパッケージ１０８の上部には、カバーガラス１０５が設けられており、上部から光が入射されるよう構成されている。
【０００３】
そして、パッケージ１０８を包囲する鏡筒１０２によってレンズ１０１が支持されている。即ち、鏡筒１０２は、レンズ支持部として機能する。この鏡筒１０２は、筒状の構成を有し、２つの部材により構成されている。そして、鏡筒１０２を構成する２つの部材は、相対的に移動可能であり、焦点調整のために、レンズ１０１とイメージセンサチップ１０６間の距離を変更できる。
【０００４】
ここで、携帯電話等に用いられるカメラモジュールは、携帯電話等が小型化されるに伴って、さらなる小型化が要請されている。しかしながら、従来のカメラモジュールは、図８に示されるような構成を有しているため、小型化することは困難であった。
【０００５】
また、従来のカメラモジュールは、レンズ１０１とイメージセンサチップ１０６間の経路長を決定するための構成が、レンズ１０１、鏡筒１０２を構成する２つの部材、基板１０４、パッケージ１０８及びイメージセンサチップ１０６と多数存在するため、各構成の寸法誤差及びそれら相互の接続による誤差が積み重ねられる。従って、レンズ１０１とイメージセンサチップ１０６間の経路長のバラツキが大きく、焦点精度が低い。
【発明の開示】
【発明が解決しようとする課題】
【０００６】
このように、従来のカメラモジュールでは、小型化の要請に応えることが困難であり、また、焦点精度が低いという問題点があった。
本発明は、このような問題点を解決するためになされたもので、小型化を図ることができ、かつ焦点精度が高いカメラモジュールを提供することを目的とする。
【課題を解決するための手段】
【０００７】
本発明にかかるカメラモジュールは、レンズと、このレンズを支持するレンズ支持部とを有するレンズ部と、一面にセンサ部と論理回路部を有し、前記レンズを介して入射された光に基づき撮像信号を処理するイメージセンサチップとを備え、前記レンズ部は、前記イメージセンサチップの論理回路部上に載置され固定されているものである。このような構成により、小型化が可能で、かつ焦点精度を高くすることができる。さらに、このような構成により、論理回路部上の領域を有効活用することができる。
【０００８】
さらに、本発明にかかるカメラモジュールは、窓部を有する配線基板を備え、前記イメージセンサチップは、前記レンズ部が前記配線基板の窓部に差し込まれた状態において、当該配線基板と電気的に接続されている。これにより、配線基板を含めて小型化が可能である。
【０００９】
さらにまた、前記レンズを、非球面凸レンズとすることができ、プラスチックまたはガラスにより構成してもよい。また、前記レンズを、複数のレンズから構成することもできる。
【００１０】
また、前記レンズ部の前記イメージセンサチップへの固定は、紫外線硬化樹脂によって接着されている。またさらに、前記レンズ部において、レンズとレンズ支持部を樹脂成形により一体構造としてもよい。さらに、前記イメージセンサチップは、前記論理回路部と電気的に接続された入出力端子を有する。
【００１１】
他方、本発明にかかるカメラモジュールは、レンズとこのレンズを支持するレンズ支持部とを有するレンズ部と、センサ部と論理回路部を有し、前記レンズを介して入射された光に基づき撮像信号を処理するイメージセンサチップとを備え、前記レンズ支持部は、前記イメージセンサチップの論理回路部上に載置され、レンズが入射された光をイメージセンサチップの表面上で結像するように所定の位置でレンズを支持しているものである。
【００１２】
さらに、前記レンズ部において、レンズとレンズ支持部は樹脂成形による一体構造を有する。
【発明の効果】
【００１３】
本発明によれば、小型化を図ることができ、かつ焦点精度が高いカメラモジュールを提供することができる。
【発明を実施するための最良の形態】
【００１４】
発明の実施の形態１．
図１は、発明の実施の形態１にかかるカメラモジュールの主要部を示す構造図である。このカメラモジュールは、レンズ部１とイメージセンサチップ２を備えている。ここで、レンズ部１は、レンズ１１と鏡筒１２により構成されている。レンズ１１は、この例では、非球面凸レンズであり、入射された光をイメージセンサチップ２の表面上で結像させる機能を有する。レンズ１１は、例えばプラスチックやガラスにより構成される。また、レンズ部１に、複数のレンズ１１を光路上に取り付けるようにしてもよい。
【００１５】
鏡筒１２は、円筒状、角状等の形状を有し、その内周部の所定の位置においてレンズ１１を支持している。ここで、鏡筒１２は、レンズ支持部として機能しているが、必ずしも筒状に構成される必要ない。例えば、レンズ１１を単数又は複数の点で支えるようにしてもよい。
【００１６】
イメージセンサチップ２は、センサ部２１、論理回路部２２及びボンディングパッド２３を有している。センサ部２１は、当該イメージセンサチップ２の表面上に形成され、光学的な情報を電気信号に変換し、撮像信号として出力する素子である。この素子は、多数の読取画素を有する。ここで、イメージセンサチップ２は、レンズ１１を介して入射された光に基づき撮像信号を処理すればよく、撮像信号自体を出力する必要はない。当該イメージセンサチップ２は、例えば、撮像信号を予め定めた信号と比較したり、過去の撮影により得られた撮像信号と比較することによって、画像の変化を認識し、変化したか否かを示す信号だけを出力する構成であってもよい。
【００１７】
センサ部２１は、例えば、ＣＣＤ素子やＣＭＯＳ素子である。論理回路部２２は、センサ部２１から出力された電気信号に対して、増幅処理、ノイズ除去処理等の種々の信号処理を行なう。ボンディングパッド２３は、論理回路部２２と電気的に接続された入出力端子である。このボンディングパッド２３は、ワイヤーボンディングにより外部の電極と電気的に接続される。例えば、当該イメージセンサチップ２を携帯電話、携帯端末（ＰＤＡ）やカードカメラを構成する配線基板の上に設置し、ボンディングパッド２３と前記配線基板とをワイヤーボンディングにて電気的に接続する。また、抵抗、コンデンサー等の受動部品、トランジスター、ＬＳＩ等の能動部品が搭載されたサブ配線基板に当該イメージセンサチップ２を設置してボンディングパッド２３と前記サブ配線基板とをワイヤーボンディングにて電気的に接続し、前記サブ配線基板を携帯電話、携帯端末（ＰＤＡ）やカードカメラと電気的に接続することもできる。
【００１８】
鏡筒１２は、イメージセンサチップ２の論理回路部２２上に固定されている。鏡筒１２とイメージセンサチップ２は、例えば、紫外線硬化樹脂によって接着される。この場合、イメージセンサチップ２に対して、予め定められた位置に鏡筒１２を載置し、その後、イメージセンサチップ２と鏡筒１２が接着されるように紫外線硬化樹脂を塗布する。または、イメージセンサチップ２又は鏡筒１２のいずれか一方又は双方に紫外線硬化樹脂を塗布した後に、両者の位置決めをするようにしてもよい。そして、紫外線をこの紫外線硬化樹脂に照射することによってイメージセンサチップ２と鏡筒１２とを接着固定する。
【００１９】
このように、論理回路部２２上に鏡筒１２を載置することによって、通常は利用されていない論理回路部２２の上方の領域を有効活用することができる。特に、今後、さらにセンサ部２１と論理回路部２２の１チップ化が進むことが推測されるため、論理回路部２２の上方の領域を活用するこの技術の価値は高い。
【００２０】
以上のように、図１に示すカメラモジュールにおいては、レンズを支持するレンズ支持部を有するレンズ部をイメージセンサチップ上に直接固定するようにしたため、小型化を図ることができる。そして、レンズとイメージセンサチップの間の部材がレンズ支持部のみであることから、積み上げ誤差が少なく、両者の相対的な位置を精確に固定することができる。
【００２１】
発明の実施の形態２．
続いて、図２を用いて発明の実施の形態２にかかる他のカメラモジュールの構成について説明する。図２に示す構成では、ＣＳＰ（Chip Size Package）再配線層３を有している。このＣＳＰ再配線層３は、光学窓を備えており、その光学窓の部分において鏡筒１２がイメージセンサチップ２上に接着固定されている。ＣＳＰ再配線層３は、その上部に半田バンプ３１が複数設けられている。この半田バンプ３１は、イメージセンサチップ２に設けられた論理回路部２２と銅配線等の再配線によって電気的に接続されている。この様に再配線により論理回路部の入出力端子に電気的に接続された再配線の他端に基板接続用のバンプ３１をチップ上に配置することが可能となり、図１の様にチップ周辺のパッド２３を論理回路部２２等を含むチップ上面全域に配設することが可能となる。
【００２２】
この図２に示すカメラモジュールも、図１に示す構成と同様に鏡筒レンズ部をイメージセンサチップ上に直接固定するようにしたため、小型化を図ることができる。そして、レンズとイメージセンサチップの間の部材がレンズ支持部のみであることから、積み上げ誤差が少なく、両者の相対的な位置を精確に固定することができる。
【００２３】
この発明の実施の形態２にかかるカメラモジュールについて、図３を用いてさらに説明する。このカメラモジュールは、ウエファ３ａレベルにおいて構成される。即ち、チップサイズに切断される前段階において、レンズ１１を支持する鏡筒１２がウエファ３ａに固定される。このとき、鏡筒１２をウエファ３ａ上の精確な位置に固定する必要があり、また、両者が接触するに際して衝撃を緩和するため、ロボットを用いて固定する。その後、ウエファ３ａはチップサイズに切断される。
【００２４】
発明の実施の形態３．
図４に発明の実施の形態３にかかるカメラモジュールの構成を示す。発明の実施の形態３にかかるカメラモジュールは、レンズ部１及びイメージセンサチップ２と、さらには、多層配線基板５を備えている。この配線基板５は、例えばポリエステルやポリイミドにより構成され、銅等によって配線されている。そして、この実施の形態にかかる配線基板５は、特に、窓部を有している。
【００２５】
発明の実施の形態２と同様の構成を有するカメラモジュールは、配線基板５の窓部に鏡筒１２が差し込まれた状態において、アンダフィル７によって配線基板５と固定されている。このアンダフィル７は、樹脂封止剤である。
【００２６】
また、配線基板５の窓部の周囲には、ＣＳＰ再配線層３の半田バンプ３１に対応する位置に外部電極が設けられている。従って、発明の実施の形態２にかかるカメラモジュールが、配線基板５の窓部に差し込まれ、加熱処理等によって当該半田バンプ３１と、配線基板５の外部電極とが電気的に接触する。
【００２７】
配線基板５には、外部電極と同じ面にＤＳＰ（Digital Signal Processor）チップ６等の他のチップも搭載される。このＤＳＰチップ６もアンダフィル７によって配線基板５に対して接着固定される。
【００２８】
以上のように、この実施の形態３にかかるカメラモジュールは、配線基板の窓部に対してレンズ部が差し込まれる構成としたため、より小型化を図ることができる。また、レンズ支持部、即ち鏡筒の外周面と配線基板の窓部の内周面とが接するような構成にすれば、両者の相対的な位置を相互に規制することになるため、位置決めが容易になる。
【００２９】
発明の実施の形態４．
図５は、発明の実施の形態４にかかるカメラモジュールの構成を示す図である。このカメラモジュールは、発明の実施の形態３にかかるカメラモジュールと同様に、窓の空いた配線基板５を備えている。そして、レンズ部１の鏡筒１２がイメージセンサチップ２の上面の論理回路部２２上に固定されている。この例では、鏡筒１２と配線基板５とがアンダフィル７によって固定されている。このアンダフィル７は、鏡筒１２の全周に亘って設けられていてもよく、また一部であってもよい。このカメラモジュールは、ＣＳＰ再配線層３を有している。
【００３０】
本実施の形態にかかるカメラモジュールは、例えば、イメージセンサチップ２を配線基板５と固定した後に、鏡筒１２をイメージセンサチップ２上に載置し、そしてアンダフィル７によって、鏡筒１２と配線基板５とを固定するようにしてもよい。また、鏡筒１２をイメージセンサチップ２上に固定した後に、配線基板５の窓部に下方より差し込み、そしてアンダフィル７によって、鏡筒１２と配線基板５とを固定するようにしてもよい。
【００３１】
さらに図６を用いて、このカメラモジュールの構成について詳細に説明する。このカメラモジュールのイメージセンサチップ２は、ＤＳＰチップ６と共に、配線基板５の下面に設けられ、封止樹脂８によって覆われている。
【００３２】
イメージセンサチップ２と配線基板５の電気的な接続については、図６に示されるように複数の方法がある。例えば、イメージセンサチップ２の上面にパッドに半田金バンプ９１を印刷する方法、異方性導電材９２を用いる方法や再配線層３に半田バンプを用いる方法がある。
【００３３】
また、図７に示されるように、イメージセンサチップ２と配線基板５の間にスペーサを設けてもよい。このような構成にすることにより、イメージセンサチップ２と配線基板５間の距離を一定にすることができ、レンズ１１とイメージセンサチップ２間の距離を一定にすることができる。
【００３４】
以上のように、この実施の形態４にかかるカメラモジュールは、配線基板の窓部に対してレンズ部が差し込まれる構成としたため、より小型化を図ることができる。また、レンズ部の外周面と配線基板の窓部の内周面とが接するような構成にすれば、両者の相対的な位置を相互に規制することになるため、位置決めが容易になる。
【００３５】
上記、発明の実施の形態１乃至４において、レンズ部はレンズと鏡筒とから構成されるように説明してあるが、樹脂成形等によりレンズと鏡筒は一体構造とすることもできる。この場合レンズ透過光以外がイメージセンサーへ漏れこむ事を防止するため、レンズ相当部以外は黒色等の光を透過させない不透明な材料を使用した成形とする。または、すべて透明材料で成形した後、鏡筒相当部を不透明材料で塗装する、もしくはチューブを被せるなどの遮光処理を施す。このようにレンズ相当部と鏡筒相当部を一体化しても、本発明の効果は変わらない。また、逆に、イメージセンサーの焦点調整を可能とするための構造とし、レンズ部と鏡筒部を可動可能として、焦点調整後、接着剤等で基板に固定することも出来る。また、レンズ相当部は非球面の１枚構成としてあるが色収差等の補正のため複数枚構成としても本発明の効果は変わらない。
【００３６】
また、前記レンズ部に光の波長に対するイメージセンサーの感度を人間のそれに近づけるように補正するため、赤外線カットフィルターを取り付けても、本発明の効果は変わらない。また、イメージセンサーのサンプリング作用による画質の悪化を防止するため、光学的ローパスフィルターを追加しても、本発明の効果は変わらない。また、入射する光量を制限する絞りを取り付けても本発明の効果は変わらない。
【産業上の利用可能性】
【００３７】
本発明にかかるカメラモジュールは、携帯電話、携帯端末（ＰＤＡ）、カードカメラ等に用いられる。
【図面の簡単な説明】
【００３８】
【図１】本発明の実施の形態にかかるカメラモジュールの構造図である。
【図２】本発明の実施の形態にかかるカメラモジュールの構造図である。
【図３】本発明の実施の形態にかかるカメラモジュールの斜視図である。
【図４】本発明の実施の形態にかかるカメラモジュールの構造図である。
【図５】本発明の実施の形態にかかるカメラモジュールの構造図である。
【図６】本発明の実施の形態にかかるカメラモジュールの構造図である。
【図７】本発明の実施の形態にかかるカメラモジュールの一部を示す断面図である。
【図８】従来のカメラモジュールの構造図である。
【符号の説明】
【００３９】
１…レンズ部、１１…レンズ、１２…鏡筒、
２…イメージセンサチップ、２１…センサ部、２２…論理回路部、
２３…ボンディングパッド、
３…再配線層、３１…半田バンプ、３ａ…ウエファ、
５…多層配線基板、６…ＤＳＰチップ、７…アンダフィル、８…封止樹脂
９１…半田金バンプ、９２…異方性導電材
１０１…レンズ、１０２…鏡筒、１０３…半田、１０４…基板、
１０５…カバーガラス、１０６…イメージセンサチップ、１０８…パッケージ
【図１】
0003720841.tif 000002
【図２】
0003720841.tif 000003
【図３】
0003720841.tif 000004
【図４】
0003720841.tif 000005
【図５】
0003720841.tif 000006
【図６】
0003720841.tif 000007
【図７】
0003720841.tif 000008
【図８】
0003720841.tif 000009